(57)【要約】本明細書の実施例に係るスマートリーダー及びスマートリーダーを用いたショッピングサービスシステム及び方法は、ＮＦＣタグを備え、商品陳列台の商品に対する商品コードを認識して商品コードを獲得し、前記獲得された商品コードを商品情報に変換して前記ＮＦＣタグに記録し、前記記録された商品情報を送信するスマートリーダー；ＮＦＣリーダーを備え、前記ＮＦＣリーダーと前記スマートリーダー間のＮＦＣ通信を通して前記記録された商品情報を獲得し、前記獲得された商品情報に対する商品注文内訳を確認して商品決済及び商品配送を要請する使用者端末；及び、前記商品陳列台に表示される商品コードを管理し、前記使用者端末から要請された商品決済を処理し、前記決済処理された商品の配送を管理するショッピングサービス提供装置を含む。【選択図】図１
2017527934.tif 000002
【特許請求の範囲】
【請求項１】
商品に対する商品コードを認識して商品コード情報を獲得し、獲得した商品コード情報をＮＦＣタグに記録するスマートリーダー；
前記スマートリーダーとのＮＦＣ通信を通して前記ＮＦＣタグに記録された商品コード情報を獲得し、獲得した商品コード情報に対する商品注文内訳を確認し、前記商品注文内訳に対して照会、注文内訳修正、商品決済、商品配送のいずれか一つを遂行するショッピング連係装置；及び
前記商品に対する商品コード情報を管理し、前記ショッピング連係装置から要請された商品決済を処理し、前記決済処理された商品の配送を管理するショッピングサービス提供装置
を含む、スマートリーダーを用いたショッピングサービスシステム。
【請求項２】
仮想商品に対する商品コードが表示された仮想の商品陳列台をさらに含み、
前記スマートリーダーは、前記仮想の商品陳列台に表示された商品コードを認識する、請求項１に記載のスマートリーダーを用いたショッピングサービスシステム。
【請求項３】
前記ショッピング連係装置は、
使用者のメンバーシップ情報確認を通して前記スマートリーダーの貸与及び返却を管理するリーダーレンタル装置
を含むことを特徴とする、請求項１に記載のスマートリーダーを用いたショッピングサービスシステム。
【請求項４】
前記リーダーレンタル装置は、
前記ショッピングサービス提供装置から商品コード情報を受信して前記スマートリーダーに更新し、充電器を備え、保管中のスマートリーダーを充電することを特徴とする、請求項３に記載のスマートリーダーを用いたショッピングサービスシステム。
【請求項５】
前記ショッピング連係装置は、
ＮＦＣリーダーを備え、前記スマートリーダーとＮＦＣ通信を通して前記記録された商品情報を獲得するＮＦＣドングル；及び
前記ＮＦＣドングルを通して獲得された商品コード情報に対する商品注文内訳及び商品注文内訳に対する商品決済金額を確認して使用者に表示し、使用者の決済手段を通して前記表示された商品決済金額に該当する商品決済及び商品配送を前記ショッピングサービス提供装置に要請するスマートチェックアウト装置
を含むことを特徴とする、請求項１に記載のスマートリーダーを用いたショッピングサービスシステム。
【請求項６】
前記ショッピング連係装置は、
ＮＦＣリーダーを備え、前記スマートリーダーとＮＦＣ通信を通して前記記録された商品情報を獲得するＮＦＣドングル；及び
前記ＮＦＣドングルを通して獲得された商品コード情報に対する商品注文内訳を照会及び確認し、前記商品注文内訳に対する商品を修正できる注文照会装置
を含むことを特徴とする、請求項１に記載のスマートリーダーを用いたショッピングサービスシステム。
【請求項７】
前記ショッピング連係装置は、
ＮＦＣリーダーを備え、前記スマートリーダーとＮＦＣ通信を通して前記記録された商品情報を獲得するＮＦＣドングル；及び
前記ＮＦＣドングルを通して獲得された商品情報に対する商品注文内訳及び商品注文内訳に対する商品決済金額を確認して売り場の従業員に表示し、使用者の決済手段を通して前記表示された商品決済金額に該当する商品決済及び商品配送を前記ショッピングサービス提供装置に要請する商品販売端末
を含むことを特徴とする、請求項１に記載のスマートリーダーを用いたショッピングサービスシステム。
【請求項８】
スマートリーダーが商品に対する商品コードを認識して商品コード情報を獲得するステップ；
前記スマートリーダーが前記獲得した商品コード情報をＮＦＣタグに記録するステップ；
ショッピング連係装置が前記スマートリーダー間のＮＦＣ通信を通して前記ＮＦＣタグに記録された商品コード情報を獲得するステップ；
前記ショッピング連係装置が前記獲得された商品コード情報に対する商品注文内訳を確認し、前記商品注文内訳に対して照会、注文内訳修正、商品決済、商品配送のいずれか一つを遂行するステップ；
ショッピングサービス提供装置が前記ショッピング連係装置から要請された商品決済を処理するステップ；及び
前記ショッピングサービス提供装置が前記決済処理された商品の配送を管理するステップ
を含む、スマートリーダーを用いたショッピングサービス方法。
【請求項９】
前記商品コード情報を獲得するステップは、
前記スマートリーダーが仮想の商品陳列台に表示された仮想商品に対する商品コードを認識することを特徴とする、請求項８に記載のスマートリーダーを用いたショッピングサービス方法。
【請求項１０】
前記商品注文内訳に対して照会、注文内訳修正、商品決済、商品配送のいずれか一つを遂行するステップにおいて、
前記ショッピング連係装置がリーダーレンタル装置である場合、
前記リーダーレンタル装置が使用者のメンバーシップ情報確認を通して前記スマートリーダーの貸与及び返却を管理するステップ
をさらに含むことを特徴とする、請求項９に記載のスマートリーダーを用いたショッピングサービス方法。
【請求項１１】
前記ショッピング連係装置がリーダーレンタル装置である場合、
前記リーダーレンタル装置が前記ショッピングサービス提供装置から商品コード情報を受信して前記スマートリーダーに更新し、充電器を備え、保管中のスマートリーダーを充電するステップをさらに含むことを特徴とする、請求項１０に記載のスマートリーダーを用いたショッピングサービス方法。
【請求項１２】
前記商品注文内訳に対して照会、注文内訳修正、商品決済、商品配送のいずれか一つを遂行するステップにおいて、
前記ショッピング連係装置がスマートチェックアウト装置である場合、
前記スマートチェックアウト装置が前記スマートリーダーとＮＦＣ通信を通して前記ＮＦＣタグに記録された商品コード情報を獲得するステップ；
前記スマートチェックアウト装置が前記商品コード情報に対する商品注文内訳及び商品注文内訳に対する商品決済金額を確認して使用者に表示するステップ；及び
前記スマートチェックアウト装置が使用者の決済手段を通して前記表示された商品決済金額に該当する商品決済及び商品配送を前記ショッピングサービス提供装置に要請するステップ
をさらに含む、請求項８に記載のスマートリーダーを用いたショッピングサービス方法。
【請求項１３】
前記商品注文内訳に対して照会、注文内訳修正、商品決済、商品配送のいずれか一つを遂行するステップにおいて、
前記ショッピング連係装置が注文照会装置である場合、
前記注文照会装置が前記スマートリーダーとＮＦＣ通信を通して獲得した商品コード情報に対する商品注文内訳を照会及び確認し、前記商品注文内訳に対する商品を修正できるステップ
をさらに含む、請求項８に記載のスマートリーダーを用いたショッピングサービス方法。
【請求項１４】
前記商品注文内訳に対して照会、注文内訳修正、商品決済、商品配送のいずれか一つを遂行するステップにおいて、
前記ショッピング連係装置が商品販売端末である場合、
前記商品販売端末が前記スマートリーダーとＮＦＣ通信を通して前記ＮＦＣタグに記録された商品コード情報を獲得するステップ；
前記商品販売端末が前記商品コード情報に対する商品注文内訳及び商品注文内訳に対する商品決済金額を確認して売り場の従業員に表示するステップ；及び
前記商品販売端末が使用者の決済手段を通して前記表示された商品決済金額に該当する商品決済及び商品配送を前記ショッピングサービス提供装置に要請するステップ
をさらに含む、請求項８に記載のスマートリーダーを用いたショッピングサービス方法。
【請求項１５】
コマースサービス装置が商品購入のための決済手段とＮＦＣタグを備えたスマートリーダーをマッピングさせるステップ；
前記スマートリーダーが商品に対する商品コードを認識して商品コードを獲得し、前記獲得された商品コードを商品情報に変換して前記ＮＦＣタグに記録するステップ；
ショッピング連係装置が前記スマートリーダー間のＮＦＣ通信を通して前記記録された商品情報を獲得するステップ；
前記コマースサービス装置が前記獲得された商品情報に対する商品内訳を確認して決済サービス装置に前記マッピングされた決済手段の商品決済を要請するステップ；及び
前記決済サービス装置が前記要請された商品決済を前記マッピングされた決済手段で決済処理するステップ
を含む、スマートリーダーを用いたスマートコマース方法。
【請求項１６】
前記ＮＦＣタグに記録するステップは、
前記スマートリーダーが仮想の商品陳列台に表示された仮想商品に対する商品コードを認識する、請求項１５に記載のスマートリーダーを用いたスマートコマース方法。
【請求項１７】
前記決済サービス装置がスマートリーダーを用いた商品購入のための決済手段をクレジットカード、モバイルカード、アプリケーションカード、スマートカード及びプリペイドカードのいずれか一つの決済手段で発給するステップ
をさらに含む、請求項１５に記載のスマートリーダーを用いたスマートコマース方法。
【請求項１８】
コマースサービス装置が商品購入のためのコマースサイトとＮＦＣタグを備えたスマートリーダーをマッピングさせるステップ；
前記スマートリーダーが商品に対する商品コードを認識して商品コードを獲得し、前記獲得された商品コードを商品情報に変換して前記ＮＦＣタグに記録するステップ；
ショッピング連係装置が前記スマートリーダー間のＮＦＣ通信を通して前記記録された商品情報を獲得するステップ；
前記ショッピング連係装置から使用者の商品購入要請があれば、前記コマースサービス装置が前記マッピングされたコマースサイトを通して商品決済を要請するステップ；及び
前記決済サービス装置が前記マッピングされたコマースサイトを通して要請された商品決済を決済処理するステップ
を含む、スマートリーダーを用いたスマートコマース方法。
【請求項１９】
前記ＮＦＣタグに記録するステップは、
前記スマートリーダーが仮想の商品陳列台に表示された仮想商品に対する商品コードを認識する、請求項１８に記載のスマートリーダーを用いたスマートコマース方法。
【請求項２０】
前記コマースサービス装置が前記マッピングされたコマースサイトを通して前記獲得された商品情報に対する商品内訳及び商品コマース情報を検索するステップ；及び
前記ショッピング連係装置が前記検索された商品内訳及び商品コマース情報を使用者に表示するステップ
をさらに含む、請求項１８に記載のスマートリーダーを用いたスマートコマース方法。
【請求項２１】
前記商品内訳及び商品コマース情報を検索するステップは、
前記マッピングされたコマースサイトが価格比較サイトである場合、前記コマースサービス装置が前記価格比較サイトで前記獲得された商品情報に対する商品内訳及び前記商品コマース情報に該当する各商品に対する価格比較情報を検索する、請求項２０に記載のスマートリーダーを用いたスマートコマース方法。
【請求項２２】
前記商品内訳及び商品コマース情報を検索するステップは、
前記マッピングされたコマースサイトがショッピングモールサイトである場合、前記コマースサービス装置が前記商品購入サイトで前記獲得された商品情報に対する商品内訳及び前記商品コマース情報に該当する各商品に対する商品付加情報を検索する、請求項２０に記載のスマートリーダーを用いたスマートコマース方法。
【請求項２３】
前記コマースサービス装置が商品購入周期によって自動購入するように設定された追加商品情報があれば、前記商品購入周期によって前記獲得された商品情報に追加商品情報を加えるステップをさらに含み、
前記獲得された商品情報に対する商品内訳及び商品コマース情報を検索するステップは、前記追加商品情報が加えられた商品情報に対する商品内訳及び商品コマース情報を前記マッピングされたコマースサイトを通して検索する、請求項２０に記載のスマートリーダーを用いたスマートコマース方法。
【発明の詳細な説明】
【技術分野】
【０００１】
本明細書は、スマートリーダーを用いたショッピングサービスシステム及び方法、それを用いたスマートコマース方法に関し、さらに詳細には、コード認識及びＮＦＣ（Ｎｅａｒ  Ｆｉｅｌｄ  Ｃｏｍｍｕｎｉｃａｔｉｏｎ）通信をするスマートリーダー及びスマートリーダーを用いたショッピングサービスシステム及び方法、それを用いたスマートコマース方法に関する。
【背景技術】
【０００２】
一般に、ショッピングモールや売り場での商品購入は、顧客がショッピングモールを訪問して、陳列された商品の中から購入しようとする商品を選択し、それを直接カウンターに持ってきて現金またはクレジットカード等で商品の価格を支払うことによってなされる。このとき、カウンターでは、顧客が購入した商品に関する情報をバーコードリーダーを備えるＰＯＳ（Ｐｏｉｎｔ  ｏｆ  Ｓａｌｅ）端末機を利用して読み出し、読み出された情報による商品代金を請求することとなる。
【０００３】
そのため、ショッピングモールや売り場の運営会社は、様々な商品、即ち、メーカー別、モデル別及び数量別等による広い展示空間が必要となる。商品管理に多くの人材が必要とされる。そして、顧客は、広いショッピングモールで商品の選択のために数々の売り場を移動しなければならない。顧客は、移動する度に自身が購入した商品を持って移動しなければならない。ショッピング時に感じる楽しみが半減する。また、商品の選択が終了した後にも商品代金の決済等に多くの時間が必要とされる。
【０００４】
近年、スマートフォンの急激な普及とモバイル環境の改善に伴いショッピングトレンドが変化している。オンライン及びモバイルを通した購入が増加している。ショールーミング（Ｓｈｏｗｒｏｏｍｉｎｇ）族が急増している。海外で直接商品を購入する海外直接購入が急浮上している。
【０００５】
また、オフラインとオンラインを統合した流通体系が浮上している。例えば、ファッション売り場をソーシャルネットワークと連係するソリューションが提供されている。このようなソリューションで使用者はオフライン売り場で写真や動画像で撮影する。以後、使用者は、撮影された写真や動画像をソーシャルネットワークを通して共有する。また、使用者は、商品のバーコードをスキャンして関心商品に登録する。すると、使用者は、登録された商品情報をソーシャルネットワークの友達と共有する。
【０００６】
一方、超精密室内測位サービスが開発されている。このような超精密室内測位サービスは、ワイファイ（ＷｉＦｉ）及びＢＬＥ（Ｂｌｕｅｔｏｏｔｈ（登録商標）  Ｌｏｗ  Ｅｎｅｒｇｙ）技術を利用する。超精密室内測位サービスは、顧客に測位された位置に基づいて商品情報、広告動画像、レビュー情報、各種の割引特典、決済等の各種のサービスを提供する。
【０００７】
新たなショッピングトレンドが増加しているのに対し、新たなショッピングトレンドに対応するオフラインショッピングの差別化されたサービスが不足している。オフラインショッピングの差別化されたサービス発掘が至急な実情である。また、ショッピングにＩｏＴ（Ｉｎｔｅｒｎｅｔ  ｏｆ  ｔｈｉｎｇｓ）技術を組み入れたスマートショッピングが様々な顧客の要求を満たしていない状況である。
【０００８】
関連の先行技術文献としては、韓国公開特許公報１０−２００２−００２２２６１号（発明の名称：商品購入のための個人携帯用端末機を備えるコンピュータネットワークシステム及びその個人携帯用端末機を用いた商品購入方法、公開日：２００２年０３月２７日）がある。
【発明の概要】
【発明が解決しようとする課題】
【０００９】
本明細書の実施例は、コード認識を通して商品コード情報を獲得し、獲得した商品コード情報をＮＦＣ通信を通して外部機器に送信することにより、セルフショッピングが可能なスマートリーダーを提供しようとする。
【００１０】
また、本明細書の実施例は、オフライン売り場で商品展示空間の限界による問題点を解決するために、オフライン売り場内に仮想の商品陳列台を設け、それをスマートリーダーを通してスキャンして商品決済及び商品配送を処理することにより、制限されたオフライン売り場内の空間活用を向上できるスマートリーダーを用いたショッピングサービスシステム及び方法を提供しようとする。
【００１１】
また、本明細書の実施例は、オフライン売り場等でスマートリーダーの貸与及び返却を管理し、スマートリーダーの保管中、リアルタイムで変更される商品情報に対して更新してスマートリーダーに反映するように提供することにより、ＰＯＳ端末や売り場の従業員なしでもセルフショッピングが可能なショッピングサービスシステム及び方法を提供しようとする。
【００１２】
また、本明細書の実施例は、スマートリーダーが実際の商品が陳列された商品陳列台の仮想の商品が陳列された商品陳列台に表示された商品コードを獲得して商品情報に変換し、使用者端末、商品販売端末、スマートチェックアウト装置及び注文照会装置等がＮＦＣ通信を通して獲得された商品情報に対する商品注文内訳を確認して商品決済及び商品配送を要請することで、制限された売り場内で使用者にさらに多くの商品を提供して商品決済及び商品配送を処理できるショッピングサービスシステム及び方法を提供しようとする。
【００１３】
また、本明細書の実施例は、スマートリーダーと商品コマースサイト（例えば、価格比較サイト、ショッピングモールサイト等）をマッピングし、コード認識及びＮＦＣ通信を通して獲得された商品情報に対する商品注文内訳及び商品コマース情報（例えば、価格比較情報、商品付加情報等）を利用して商品決済及び商品配送を要請すると、マッピングされた商品コマースサイトで商品決済を処理することにより、スマートリーダーを用いた商品の購入時、マッピングされた商品コマースサイトを通して価格比較サイト、インターネットショッピングモールと容易に連係して商品決済を処理できる、スマートリーダーを用いたスマートコマース方法を提供しようとする。
【課題を解決するための手段】
【００１４】
前記技術的課題を解決するための本明細書の一側面によると、商品に対する商品コードを認識して商品コード情報を獲得し、獲得した商品コード情報をＮＦＣタグに記録するスマートリーダー；前記スマートリーダーとのＮＦＣ通信を通して前記ＮＦＣタグに記録された商品コード情報を獲得し、獲得した商品コード情報に対する商品注文内訳を確認し、前記商品注文内訳に対して照会、注文内訳修正、商品決済、商品配送のいずれか一つを遂行するショッピング連係装置；及び、前記商品に対する商品コード情報を管理し、前記ショッピング連係装置から要請された商品決済を処理し、前記決済処理された商品の配送を管理するショッピングサービス提供装置を含むショッピングサービスシステムが提供され得る。
【００１５】
前記ショッピングサービスシステムは、仮想商品に対する商品コードが表示された仮想の商品陳列台をさらに含み、前記スマートリーダーが前記仮想の商品陳列台に表示された商品コードを認識することができる。
【００１６】
前記ショッピング連係装置は、使用者のメンバーシップ情報確認を通して前記スマートリーダーの貸与及び返却を管理するリーダーレンタル装置を含むことができる。
【００１７】
このとき、前記リーダーレンタル装置は、前記ショッピングサービス提供装置から商品コード情報を受信して前記スマートリーダーに更新し、充電器を備えて保管中であるスマートリーダーを充電することができる。
【００１８】
前記ショッピング連係装置は、ＮＦＣリーダーを備え、前記スマートリーダーとＮＦＣ通信を通して前記記録された商品情報を獲得するＮＦＣドングル；及び、前記ＮＦＣドングルを通して獲得された商品コード情報に対する商品注文内訳及び商品注文内訳に対する商品決済金額を確認して使用者に表示し、使用者の決済手段を通して前記表示された商品決済金額に該当する商品決済及び商品配送を前記ショッピングサービス提供装置に要請するスマートチェックアウト装置を含むことができる。
【００１９】
前記ショッピング連係装置は、ＮＦＣリーダーを備え、前記スマートリーダーとＮＦＣ通信を通して前記記録された商品情報を獲得するＮＦＣドングル；及び、前記ＮＦＣドングルを通して獲得された商品コード情報に対する商品注文内訳を照会及び確認し、前記商品注文内訳に対する商品を修正できる注文照会装置を含むことができる。
【００２０】
前記ショッピング連係装置は、ＮＦＣリーダーを備え、前記スマートリーダーとＮＦＣ通信を通して前記記録された商品情報を獲得するＮＦＣドングル；及び、前記ＮＦＣドングルを通して獲得された商品情報に対する商品注文内訳及び商品注文内訳に対する商品決済金額を確認して売り場の従業員に表示し、使用者の決済手段を通して前記表示された商品決済金額に該当する商品決済及び商品配送を前記ショッピングサービス提供装置に要請する商品販売端末を含むことができる。
【００２１】
本明細書の他の側面によると、スマートリーダーが商品に対する商品コードを認識して商品コード情報を獲得するステップ；前記スマートリーダーが前記獲得した商品コード情報をＮＦＣタグに記録するステップ；ショッピング連係装置が前記スマートリーダー間のＮＦＣ通信を通して前記ＮＦＣタグに記録された商品コード情報を獲得するステップ；前記ショッピング連係装置が前記獲得された商品コード情報に対する商品注文内訳を確認し、前記商品注文内訳に対して照会、注文内訳修正、商品決済、商品配送のいずれか一つを遂行するステップ；ショッピングサービス提供装置が前記ショッピング連係装置から要請された商品決済を処理するステップ；及び、前記ショッピングサービス提供装置が前記決済処理された商品の配送を管理するステップを含むショッピングサービス方法が提供され得る。
【００２２】
本明細書のまた他の側面によると、コマースサービス装置が商品購入のためのコマースサイトとＮＦＣタグを備えたスマートリーダーをマッピングさせるステップ；前記スマートリーダーが商品に対する商品コードを認識して商品コードを獲得し、前記獲得された商品コードを商品情報に変換して前記ＮＦＣタグに記録するステップ；ショッピング連係装置が前記スマートリーダー間のＮＦＣ通信を通して前記記録された商品情報を獲得するステップ；前記ショッピング連係装置から使用者の商品購入要請があれば、前記コマースサービス装置が前記マッピングされたコマースサイトを通して商品決済を要請するステップ；及び、前記決済サービス装置が前記マッピングされたコマースサイトを通して要請された商品決済を決済処理するステップを含むスマートリーダーを用いたスマートコマース方法が提供され得る。
【発明の効果】
【００２３】
本明細書の実施例によると、コード認識を通して商品コード情報を獲得し、獲得した商品コード情報をＮＦＣ通信を通して外部機器に送信することにより、セルフショッピングが可能な効果がある。
【００２４】
本明細書の実施例によると、オフライン売り場で商品展示空間の限界による問題点を解決するために、オフライン売り場内に仮想の商品陳列台を設け、それをスマートリーダーを通してスキャンして商品決済及び商品配送を処理することにより、制限されたオフライン売り場内の空間活用を向上させることができる。
【００２５】
本明細書の実施例によると、オフライン売り場等でスマートリーダーの貸与及び返却を管理し、スマートリーダーの保管中、リアルタイムで変更される商品情報に対して更新してスマートリーダーに反映するように提供することにより、ＰＯＳ端末や売り場の従業員なしでもセルフショッピングが可能なショッピングサービスを提供することができる。
【００２６】
本明細書の実施例によると、スマートリーダーが商品陳列台で表示された商品コードを獲得して商品情報に変換し、使用者端末、商品販売端末、スマートチェックアウト装置及び注文照会装置等がＮＦＣ通信を通して獲得された商品情報に対する商品注文内訳を確認して商品決済及び商品配送を要請すると、制限された売り場内で使用者にさらに多くの商品を提供して商品決済及び商品配送を処理することができる。
【００２７】
本明細書の実施例によると、スマートリーダーと商品コマースサイト（例えば、価格比較サイト、ショッピングモールサイト等）をマッピングし、コード認識及びＮＦＣ通信を通して獲得された商品情報に対する商品内訳及び商品コマース情報（例えば、価格比較情報、商品付加情報等）を利用して商品決済及び商品配送を要請すると、マッピングされた商品コマースサイトを商品決済を処理することにより、スマートリーダーを用いた商品の購入時、マッピングされた商品コマースサイトを通して価格比較サイト、インターネットショッピングモールと容易に連係して商品決済を処理することができる。
【図面の簡単な説明】
【００２８】
【図１】本明細書の一実施例に係るスマートリーダーを用いたショッピングサービスシステムの構成図である。
【図２】本明細書の一実施例に係るスマートリーダーの構成図である。
【図３】本明細書の一実施例に係るスマートリーダーでのコード認識及びＮＦＣ通信方法に関するフローチャートである。
【図４】本明細書の一実施例に係るリーダーレンタル装置でのリーダー管理方法に関するフローチャートである。
【図５】本明細書の一実施例に係るスマートリーダーを用いたショッピングサービス方法に関するフローチャートである。
【図６】本明細書の一実施例に係る商品販売端末と連動したショッピングサービス方法に関するフローチャートである。
【図７】本明細書の一実施例に係るスマートチェックアウト装置と連動したショッピングサービス方法に関するフローチャートである。
【図８】本明細書の一実施例に係る注文照会装置と連動したショッピングサービス方法に関するフローチャートである。
【図９】本明細書の一実施例に係る商品陳列台と連動したショッピングサービス方法に関するフローチャートである。
【図１０】本明細書の一実施例に係るスマートリーダーを用いたショッピングサービスシステムの具現例を示した図である。
【図１１】本明細書の一実施例に係る決済手段とマッピングされたスマートコマース方法に関するフローチャートである。
【図１２】本明細書の一実施例に係る価格比較サイトとマッピングされたスマートコマース方法に関するフローチャートである。
【図１３】本明細書の一実施例に係るショッピングモールサイトとマッピングされたスマートコマース方法に関するフローチャートである。
【発明を実施するための形態】
【００２９】
以下、本明細書の実施例を、添付の図面を参照して詳細に説明する。
【００３０】
実施例を説明するにあたって、本明細書の属する技術の分野によく知られており、本明細書と直接的に関連のない技術内容については説明を省略する。これは、不要な説明を省略することによって本明細書の要旨を濁すことなくさらに明確に伝達するためである。
【００３１】
同様の理由から、添付の図面において一部の構成要素は、誇張または省略、または概略的に示されている。また、各構成要素の大きさは、実際の大きさを全的に反映するものではない。各図面において、同一または対応する構成要素には、同一の参照番号を付与した。
【００３２】
図１は、本明細書の一実施例に係るスマートリーダーを用いたショッピングサービスシステムの構成図である。
【００３３】
図１を参照すると、本明細書の一実施例に係るスマートリーダー１２０を用いたショッピングサービスシステム１００は、商品陳列台１１０、スマートリーダー１２０、リーダーレンタル装置１３０、ショッピングサービス提供装置１４０、及びショッピング連係装置１０を含む。
【００３４】
ショッピング連係装置１０は、スマートリーダー１２０と連係してスマートリーダー１２０を通して注文した商品の注文内訳、商品決済及び商品配送を処理する。このためショッピング連係装置１０としては、スマートチェックアウト装置１５０、注文照会装置１６０、商品販売端末１７０、ショッピングカート１８０、使用者端末１９０等を含むことができる。
【００３５】
ショッピングサービス提供装置１４０は、商品管理部１４１、決済処理部１４２、配送管理部１４３及び格納部１４４を含むことができる。
【００３６】
以下、本明細書の一実施例に係るスマートリーダー１２０を用いたショッピングサービスシステム１００の各構成要素の具体的な構成及び動作を説明する。
【００３７】
スマートリーダー１２０は、ＮＦＣタグを備える。
【００３８】
スマートリーダー１２０は、商品陳列台１１０の商品に対する商品コードを認識して商品コード情報を獲得する。ここで、スマートリーダー１２０は、仮想の商品陳列台に表示された仮想商品に対する商品コードを認識することができる。商品コードは、１次元、２次元及び３次元バーコード情報の少なくとも一つを含むことができる。１次元バーコード情報は、太さが異なる黒と白の棒記号を組み合わせたコード形態のバーコード情報をいう。２次元バーコード情報は、黒と白の四角形記号がモザイク式で配列されたコード形態のバーコード情報をいう。２次元バーコードとしては、キューアールコード（Ｑｕｉｃｋ  Ｒｅｓｐｏｎｓｅ  ｃｏｄｅ、ＱＲ  ｃｏｄｅ）（登録商標）、データマトリックス（ｄａｔａ  ｍａｔｒｉｘ）、マキシコード（ｍａｘｉ  ｃｏｄｅ）等がある。３次元バーコード情報は、平面的なコード形態のバーコード情報ではなく、様々な形態のバーコード情報をいい、１次元及び２次元バーコード情報に比べてさらに多くの情報を込めることができる。３次元バーコードとしては、色相コードであってよい。スマートリーダー１２０は、その獲得された商品コードを商品情報に変換してＮＦＣタグに記録する。ここで、商品情報は、該当ブランドの広告、メーカー、販売会社、出庫時点、流通期限、価格情報、一連番号、商品名、連絡先等が含まれる商品情報のうちいずれか一つ以上を含む。
【００３９】
スマートリーダー１２０は、基本的にリーダーレンタル装置１３０と連係してオフライン売り場等で保管及び充電を遂行し、一般使用者（顧客）に貸与及び一般使用者（顧客）から返却できる。また、スマートリーダー１２０は、スマートチェックアウト装置１５０及び注文照会装置１６０、商品販売端末１７０、ショッピングカート１８０、使用者端末１９０のいずれか一つの機器とＮＦＣ通信を通して注文した商品コード情報を伝送することができる。
【００４０】
例えば、スマートチェックアウト装置１５０は、図１０に例示したように、オフライン売り場でのセルフカウンター（４）を意味するものであり、スマートリーダー（１２０）を通して注文した商品注文内訳に対して決済を遂行する。注文照会装置１６０は、オフライン売り場内の数か所に設けられ、商品決済する前にスマートリーダー１２０を通して注文した商品注文内訳を照会し、修正できる端末（３スマートオーダービューア）に該当する。これについては、下記において具体的に説明する。
【００４１】
本実施例において、スマートリーダー１２０は、オフライン売り場内に保管または置かれ、使用者が必要とするとき、使用者情報確認を通して提供される。
【００４２】
ショッピングサービス提供装置１４０は、商品陳列台１１０に表示される商品に対する商品コード情報と、割引商品やイベント商品、配送不可商品等に関する商品情報を管理する。また、ショッピングサービス提供装置１４０は、スマートリーダー１２０を通して貸与及び返却した使用者情報、使用者情報に対応する商品注文内訳等を管理する。
【００４３】
また、ショッピングサービス提供装置１４０は、ショッピング連係装置１０から要請された商品決済を処理し、決済処理された商品の配送を管理する。
【００４４】
リーダーレンタル装置１３０は、ショッピングサービス提供装置１４０から商品情報を受信し、保管中のスマートリーダー１２０に更新する。
【００４５】
また、リーダーレンタル装置１３０は、充電器を備え、保管中のスマートリーダー１２０を充電し、使用者情報確認を通してスマートリーダー１２０の貸与及び返却を管理する。ここで、使用者情報は、メンバーシップカード情報、モバイルメンバーシップ情報、使用者端末情報等を含むことができる。メンバーシップカード情報の場合、使用者情報の確認は、各使用者に発給されたメンバーシップカードを認識し、認識したメンバーシップカード情報が一致するか否かを通して遂行することができ、モバイルメンバーシップ情報の場合は、使用者端末を通して提示されたモバイル情報をスキャンするか、または直接入力する方式等で遂行することができる。また、リーダーレンタル装置１３０は、ＮＦＣ通信を通して使用者情報を確認することができる。
【００４６】
スマートチェックアウト装置１５０は、ＮＦＣリーダーを備えたＮＦＣドングルと連結される。ここで、スマートチェックアウト装置１５０は、ＮＦＣリーダーを備えたＮＦＣドングルを含むことができる。
【００４７】
スマートチェックアウト装置１５０は、ＮＦＣドングルを通して獲得された商品コード情報に対する商品注文内訳及び商品注文内訳に対する商品決済金額を確認して使用者に表示する。スマートチェックアウト装置１５０は、使用者の決済手段を通して商品決済金額に該当する商品決済及び商品配送をショッピングサービス提供装置１４０に要請する。
【００４８】
注文照会装置１６０は、ＮＦＣリーダーを備えたＮＦＣドングルと連結される。ここで、注文照会装置１６０は、ＮＦＣリーダーを備えたＮＦＣドングルを含むことができる。
【００４９】
注文照会装置１６０は、ＮＦＣドングルを通して獲得された商品コード情報に対する商品注文内訳及び商品注文内訳に対する商品決済金額を確認して使用者に表示する。注文照会装置１６０は、使用者の商品修正要請によって前記商品注文内訳及び商品注文内訳に対する商品決済金額を修正することができる。
【００５０】
商品販売端末１７０は、ＮＦＣドングルを通してスマートリーダー１２０とＮＦＣ通信をして記録された商品情報を獲得する。そして、商品販売端末１７０は、ＮＦＣドングルを通して獲得された商品情報に対する商品注文内訳及び商品注文内訳に対する商品決済金額を確認して売り場の従業員に表示する。次いで、商品販売端末１７０は、使用者の決済手段を通して商品決済金額に該当する商品決済及び商品配送をショッピングサービス提供装置１４０に要請する。
【００５１】
ショッピングカート１８０は、使用者端末１９０を据え置き、使用者端末１９０と連結されてデータを送受信することができる。スマートリーダー１２０が商品コードを商品情報に変換してＮＦＣタグに記録すると、ショッピングカート１８０に据え置かれた使用者端末１９０は、記録された商品情報を獲得する。使用者端末１９０は、ショッピングカート１８０を通して獲得された商品情報に対する商品注文内訳を確認して商品決済及び商品配送を要請する。
【００５２】
使用者端末１９０は、ＮＦＣリーダーを備える。使用者端末１９０は、ＮＦＣリーダーとスマートリーダー１２０との間のＮＦＣ通信を通して商品コード情報を獲得する。使用者端末１９０は、獲得された商品コード情報に対する注文内訳を確認して商品決済及び商品配送を要請する。
【００５３】
これと関連して、使用者端末１９０にはショッピングアプリケーション（Ｓｈｏｐｐｉｎｇ  Ａｐｐｌｉｃａｔｉｏｎ）を備えることにより、使用者にショッピングの便宜を提供することができる。使用者端末１９０には、実物のカードではないモバイルカードを搭載することができる。使用者端末１９０は、モバイルクーポンをショッピングアプリケーションに格納することにより、紙類のクーポンを使用せず、モバイルクーポンを使用できるようにする。
【００５４】
使用者端末１９０は、商品陳列台１１０の商品コードを認識し、これを通して商品決済及び商品配送まですることができる。これとは異なり、使用者端末１９０は、商品コード別の価格比較を用いた特定商品検索、人気商品検索、関連商品検索等の価格比較を用いたショッピング機能を通して商品を購入することができる。
【００５５】
一方、商品陳列台１１０は、商品に対する商品コードを表示する。ここで、商品陳列台１１０は、ＮＦＣリーダーを備えることができる。他の例として、商品陳列台１１０は、売り場や家庭に設けられた仮想の商品陳列台であってよく、仮想商品に対する商品コードが印刷されたリーフレットまたはラベルとなり得る。
【００５６】
商品陳列台１１０は、仮想の商品陳列欄を含む仮想の商品陳列台のイメージを商品コードと共に表示することができる。商品陳列台のイメージは、少なくとも一つ以上の商品陳列欄に対するイメージを含む。ここで、仮想の商品陳列台のイメージは、連係されたオフライン売り場での販売台の大きさと同一であるか、または既設定された範囲内での縮小または拡大されたイメージに該当してよい。また、仮想の商品陳列台のイメージは、オフラインの商品売り場そのものの写真やイメージで構成され得る。
【００５７】
商品陳列台１１０は、仮想の商品陳列欄に展示された少なくとも一つ以上の仮想商品のイメージを商品コードと共に提供することができる。ここで、仮想商品のイメージは、実際の商品のイメージ（実写イメージ）に該当するが、これに限定されるものではなく、該当商品を識別させることのできる様々な形態のイメージを含む。また、商品イメージは、連係されたオフライン売り場での商品の大きさと同一であるか、または既設定された範囲内での縮小または拡大されたイメージに該当してよい。
【００５８】
商品陳列台１１０は、使用者の年齢帯、販売地域、販売時間帯、テーマ、またはブロック化（Ｂｌｏｃｋｉｎｇ）の少なくともいずれか一つに基づいて配列された商品コード及び商品イメージを提供することができる。
【００５９】
商品陳列台１１０は、陳列されたそれぞれの仮想商品に対する商品コードを商品イメージの下段に提供することができる。即ち、該当商品のイメージの下に商品コードが配置され得る。商品陳列台１１０は、商品イメージの上側、左側、または右側に商品コードを表示することもできる。ここで、商品コードは、光学的に認識されるコードであって、それにはバーコード（Ｂａｒ  Ｃｏｄｅ）またはＱＲ（Ｑｕｉｃｋ  Ｒｅｓｐｏｎｓｅ）コード等が含まれ得る。また、商品陳列台１１０は、ヒトの目には見えず、使用者端末１９０の光学スキャナーを通してのみ認識される赤外線インキ（Ｉｎｆｒａ−ｒｅｄ  ｉｎｋ）や同一の機能の塗料を用いて印刷、出力することで、さらに自然な売り場と商品陳列の雰囲気を演出することもできる。
【００６０】
商品陳列台１１０は、売り場や家庭の物理的空間に具現され得る。売り場や家庭の壁またはドア（ｄｏｏｒ）等の遊休空間に紙、プリント用紙、写真用紙、ビニル、プラスチックシート、布、ラベル紙等を用いた張り紙、リーフレット形態等のディスプレイ手段に出力されて具現され得る。
【００６１】
図２は、本明細書の一実施例に係るスマートリーダー１２０の構成図である。
【００６２】
図２を参照すると、本明細書の一実施例に係るスマートリーダー１２０は、基本的にコード認識部２１０、制御部２２０、ＮＦＣ通信部２４０を含む。必要に応じて、使用者インターフェース部２３０及び格納部２５０を含むことができる。
【００６３】
単にコード認識部２１０、制御部２２０、ＮＦＣ通信部２４０で構成される場合、スマートリーダー１２０は、コード認識部２１０を通して商品陳列台１１０の商品コードを認識して商品コード情報を獲得し、獲得した商品コード情報をＮＦＣ通信部２４０を通してショッピング連係装置に伝送することができる。
【００６４】
具体的に、コード認識部２１０は、商品に対する商品コードを認識して商品コード情報を獲得する。コード認識部２１０は、仮想の商品陳列台に表示された仮想商品に対する商品コードを認識することができる。ここで、仮想の商品陳列台は、売り場や家庭の物理的空間に具現され得る。売り場や家庭の壁またはドア（ｄｏｏｒ）等の遊休空間に紙、プリント用紙、写真用紙、ビニル、プラスチックシート、布、ラベル紙等を用いた張り紙、リーフレット形態等のディスプレイ手段に出力されて具現され得る。仮想の商品陳列台は、少なくとも一つのＬＣＤ、ＬＥＤ等のディスプレイの画面を通して具現され得る。仮想の商品陳列台は、仮想商品陳列によってリアルタイムで仮想商品に対する商品コード及び商品イメージを変更して表示することができる。
【００６５】
使用者インターフェース部２３０は、コード認識部２１０で獲得された商品コードを使用者に出力することができる。また、使用者インターフェース部２３０は、出力された商品コードと関連して使用者入力を受信することができる。
【００６６】
制御部２２０は、格納部２５０で格納された商品コード別の商品情報を利用してコード認識部２１０で獲得された商品コードを商品情報に変換する。
【００６７】
ＮＦＣ通信部２４０は、ＮＦＣ（Ｎｅａｒ  Ｆｉｅｌｄ  Ｃｏｍｍｕｎｉｃａｔｉｏｎ）タグを備える。ＮＦＣ通信部２４０は、ＮＦＣタグに変換された商品情報を記録する。そして、ＮＦＣ通信部２４０は、ＮＦＣ通信を通してショッピング連係装置１０と通信し、記録された商品情報をショッピング連係装置１０に送信することができる。ここで、ＮＦＣ通信部２４０は、ＮＦＣリーダーを備えた使用者端末１９０、リーダーレンタル装置１３０、商品販売端末１７０、スマートチェックアウト装置１５０、注文照会装置１６０及び商品陳列台１１０のいずれか一つのショッピング連係装置１０とＮＦＣ通信を通して通信することができる。
【００６８】
格納部２５０は、商品コード別の商品情報を格納する。格納部２５０は、コード認識部２１０で獲得された商品コードまたは変換された商品情報を格納することができる。
【００６９】
また、格納部２５０は、コード認識部２１０で獲得された商品コードと関連した商品付加情報（例えば、クーポン情報、商品割引情報及び売り場イベント情報等）を予め格納することができる。制御部２２０は、コード認識部２１０で獲得された商品コード及び獲得された商品コードと関連した商品付加情報を商品情報に含ませて変換することができる。制御部２２０は、商品付加情報が含まれた商品情報をＮＦＣタグに記録する。
【００７０】
図３は、本明細書の一実施例に係るスマートリーダーでのコード認識及びＮＦＣ通信方法に関するフローチャートである。
【００７１】
格納部２５０は、商品コード別の商品情報を格納する（Ｓ３０２）。
【００７２】
コード認識部２１０は、商品に対する商品コードを認識する（Ｓ３０４）。ここで、コード認識部２１０は、仮想の商品陳列台に表示された仮想商品に対する商品コードを認識することができる。
【００７３】
コード認識部２１０は、コード認識を通して商品コード情報を獲得する（Ｓ３０６）。
【００７４】
使用者インターフェース部２３０は、獲得された商品コード情報を使用者に出力する（Ｓ３０８）。
【００７５】
使用者インターフェース部２３０は、出力された商品コード情報と関連して使用者入力を受信する（Ｓ３１０）。
【００７６】
制御部２２０は、格納部２５０で格納された商品コード別の商品情報を利用して商品コードを商品情報に変換する（Ｓ３１２）。ここで、格納部２５０に獲得された商品コードと関連した商品付加情報が予め格納されている場合、制御部２２０は、獲得された商品コード及び獲得された商品コードと関連した商品付加情報を商品情報に含ませて変換することができる。
【００７７】
ＮＦＣ通信部２４０は、備えられたＮＦＣタグに制御部２２０で変換された商品情報を記録する（Ｓ３１４）。ここで、制御部２２０は、商品付加情報が含まれた商品情報をＮＦＣタグに記録することができる。
【００７８】
ＮＦＣ通信部２４０は、ＮＦＣ通信を通してショッピング連係装置１０と通信する（Ｓ３１６）。
【００７９】
ＮＦＣ通信部２４０は、記録された商品情報をショッピング連係装置１０にＮＦＣ通信を通して送信する（Ｓ３１８）。
【００８０】
以上において、スマートリーダー１２０が商品コード別の商品情報に変換して伝送する過程で説明したが、これに限定するものではなく、コード認識を通して獲得した商品コード情報を商品情報に変換することなくそのまま伝送する過程で遂行することもできる。
【００８１】
図４は、本明細書の一実施例に係るリーダーレンタル装置でのスマートリーダー管理方法に関するフローチャートである。
【００８２】
先ず、リーダーレンタル装置は、ショッピングサービス提供装置１４０から割引商品やイベント商品、配送不可商品等、リアルタイムで変更される商品に対する商品コード情報を受信し、保管中のスマートリーダーに情報をアップデートする。
【００８３】
そして、リーダーレンタル装置は、保管中のスマートリーダーに対して充電を遂行する。
【００８４】
以後、使用者がスマートリーダーの貸与を要請すると、リーダーレンタル装置で使用者のメンバーシップ情報を確認することができる（Ｓ４０２）。確認方法としては、各使用者別に発給されたメンバーシップカードまたはモバイルメンバーシップカードのスキャンを通して使用者情報を確認することができる。または、使用者の端末情報（電話番号等）を入力し、その情報が一致するか否かによって確認することができる。
【００８５】
以後、リーダーレンタル装置が貸与するスマートリーダーの情報を入力する（Ｓ４０４）。
【００８６】
以後、リーダーレンタル装置がスマートリーダーの貸与を処理する（Ｓ４０６）。
【００８７】
以後、使用者から返却要請があれば、リーダーレンタル装置が使用者のメンバーシップ情報が一致するかを確認する（Ｓ４０８、Ｓ４１０）。
【００８８】
マッピングされた使用者のメンバーシップ情報と一致すれば（Ｓ４１２）、リーダーレンタル装置がマッピングされた使用者情報と一致するスマートリーダー１２０の返却を受ける（Ｓ４１４）。これに対し、マッピングされた使用者のメンバーシップ情報と一致しなければ、リーダーレンタル装置が該当スマートリーダーの返却を処理せず、Ｓ４１０ステップを再び遂行する。
【００８９】
図５は、本明細書の一実施例に係るスマートリーダーを用いたショッピングサービス方法に関するフローチャートである。
【００９０】
スマートリーダー１２０は、商品陳列台１１０の商品に対する商品コードを認識して商品コード情報を獲得する（Ｓ５０２）。
【００９１】
以後、スマートリーダー１２０が獲得した商品コード情報をＮＦＣタグに記録する（Ｓ５０６）。
【００９２】
一方、ショッピング連係装置１０は、スマートリーダー１２０間のＮＦＣ通信を通して記録された商品コード情報を獲得する（Ｓ５０８）。ここで、ショッピング連係装置１０は、使用者端末１９０、リーダーレンタル装置１３０、商品販売端末１７０、スマートチェックアウト装置１５０、注文照会装置１６０及びショッピングカート１８０の少なくとも一つを含むことができる。
【００９３】
そして、ショッピング連係装置１０は、獲得された商品コード情報に対する商品注文内訳を確認する（Ｓ５１０）。
【００９４】
次いで、ショッピング連係装置１０は、商品決済及び商品配送を要請する（Ｓ５１２）。
【００９５】
そして、ショッピングサービス提供装置１４０は、ショッピング連係装置１０から要請された商品決済を処理する（Ｓ５１４）。
【００９６】
ショッピングサービス提供装置１４０は、決済処理された商品の配送を管理する（Ｓ５１６）。
【００９７】
図６は、本明細書の一実施例に係る商品販売端末と連動したショッピングサービス方法に関するフローチャートである。
【００９８】
商品販売端末１７０は、スマートリーダー１２０とＮＦＣ通信する（Ｓ６０２）。
【００９９】
そして、商品販売端末１７０は、ＮＦＣ通信を通してＮＦＣタグに記録された商品情報をＮＦＣドングルを通して獲得する（Ｓ６０４）。
【０１００】
次いで、商品販売端末１７０は、ＮＦＣドングルを通して獲得された商品情報に対する商品注文内訳及び商品注文内訳に対する商品決済金額を確認して売り場の従業員に表示する（Ｓ６０６）。
【０１０１】
そして、商品販売端末１７０は、使用者の決済手段を通して表示された商品決済金額に該当する商品決済及び商品配送をショッピングサービス提供装置１４０に要請する（Ｓ６０８）。
【０１０２】
商品販売端末１７０は、使用者の決済手段を通して決済処理が完了した商品注文内訳に対して商品配送をショッピングサービス提供装置１４０に要請する（Ｓ６１０）。
【０１０３】
図７は、本明細書の一実施例に係るスマートチェックアウト装置と連動したショッピングサービス方法に関するフローチャートである。
【０１０４】
スマートチェックアウト装置１５０は、スマートリーダー１２０とＮＦＣ通信する（Ｓ７０２）。
【０１０５】
そして、スマートチェックアウト装置１５０は、ＮＦＣ通信を通してＮＦＣタグに記録された商品情報をＮＦＣドングルを通して獲得する（Ｓ７０４）。
【０１０６】
次いで、スマートチェックアウト装置１５０は、ＮＦＣドングルを通して獲得された商品情報に対する商品注文内訳及び商品注文内訳に対する商品決済金額を確認して使用者に表示する（Ｓ７０６）。
【０１０７】
そして、スマートチェックアウト装置１５０は、使用者の決済手段を通して表示された商品決済金額に該当する商品決済及び商品配送をショッピングサービス提供装置１４０に要請する（Ｓ７０８）。
【０１０８】
スマートチェックアウト装置１５０は、使用者の決済手段を通して決済処理が完了した商品注文内訳に対して商品配送をショッピングサービス提供装置１４０に要請する（Ｓ７１０）。
【０１０９】
図８は、本明細書の一実施例に係る注文照会装置と連動したショッピングサービス方法に関するフローチャートである。
【０１１０】
注文照会装置１６０は、スマートリーダー１２０とＮＦＣ通信する（Ｓ８０２）。
【０１１１】
そして、注文照会装置１６０は、ＮＦＣ通信を通してＮＦＣタグに記録された商品情報をＮＦＣドングルを通して獲得する（Ｓ８０４）。
【０１１２】
次いで、注文照会装置１６０は、ＮＦＣドングルを通して獲得された商品情報に対する商品注文内訳及び商品注文内訳に対する商品決済金額を確認して使用者に表示する（Ｓ８０６）。
【０１１３】
そして、注文照会装置１６０は、使用者の商品修正要請があるかを確認する（Ｓ８０８）。
【０１１４】
前記確認の結果、使用者の商品修正要請があれば、注文照会装置１６０は、使用者の商品修正要請によって商品注文内訳及び商品注文内訳に対する商品決済金額を修正する（Ｓ８１０）。
【０１１５】
次いで、注文照会装置１６０は、修正された商品注文内訳及び商品注文内訳に対する商品決済金額を使用者に表示する（Ｓ８１２）。
【０１１６】
図９は、本明細書の一実施例に係る商品陳列台と連動したショッピングサービス方法に関するフローチャートである。
【０１１７】
商品陳列台１１０は、使用者端末１９０とＮＦＣ通信を通して使用者情報を獲得する（Ｓ９０２）。
【０１１８】
そして、商品陳列台１１０は、ＮＦＣ通信を通して獲得された使用者情報をショッピングサービス提供装置１４０に送信する（Ｓ９０４）。
【０１１９】
すると、ショッピングサービス提供装置１４０が使用者情報に対応する使用者ショッピング内訳に基づいて好みに合わせた商品情報を算出する。次いで、商品陳列台１１０は、使用者情報に対応する使用者ショッピング内訳に基づいてショッピングサービス提供装置１４０で算出された好みに合わせた商品情報を受信する（Ｓ９０６）。
【０１２０】
商品陳列台１１０は、ショッピングサービス提供装置１４０から受信された好みに合わせた商品情報に対する商品コードを表示する（Ｓ９０８）。
【０１２１】
商品陳列台１１０は、ショッピングサービス提供装置１４０と連動して表示された商品コードの中でスマートリーダー１２０が認識した商品コードを確認する（Ｓ９１０）。
【０１２２】
商品陳列台１１０は、表示された商品コードの中からスマートリーダー１２０が認識した商品コードを除去し、残りの商品コードを表示するか、または追加商品コードを表示することができる（Ｓ９１２）。
【０１２３】
図１１は、本明細書の一実施例に係るスマートリーダーを用いたスマートコマース方法に関するフローチャートである。
【０１２４】
先ず、スマートリーダー１２０が商品に対する商品コードを認識して商品コード情報を獲得する（Ｓ１００４）。ここで、スマートリーダー１２０は、仮想の商品陳列台１１０に表示された仮想商品に対する商品コードを認識することができる。
【０１２５】
以後、スマートリーダー１２０は、獲得された商品コードを商品情報に変換する（Ｓ１００６）。
【０１２６】
次いで、スマートリーダー１２０は、変換された商品情報をＮＦＣタグに記録する（Ｓ１００８）。
【０１２７】
一方、ショッピング連係装置１０は、スマートリーダー１２０との間のＮＦＣ通信を通して記録された商品情報を獲得する（Ｓ１０１０）。ここで、ショッピング連係装置１０は、使用者端末１９０、リーダーレンタル装置１３０、商品販売端末１７０、スマートチェックアウト装置１５０及びショッピングカート１８０の少なくとも一つを含むことができる。
【０１２８】
そして、ショッピング連係装置１０は、獲得された商品情報に対する商品注文内訳を確認する（Ｓ１０１２）。商品注文内訳には、商品に対する商品名、商品価格、商品についての簡略な説明、商品評価等が含まれ得る。
【０１２９】
次いで、ショッピング連係装置１０は、商品決済及び商品配送を要請する（Ｓ１０１４）。
【０１３０】
そして、コマースサービス装置３００は、商品決済を要請する前にスマートリーダー１２０を識別し、その識別されたスマートリーダー１２０とＳ１００２ステップでマッピングされた決済手段を確認する（Ｓ１０１６）。
【０１３１】
次いで、コマースサービス装置３００は、マッピングされた決済手段で商品決済を決済サービス装置４００に要請する（Ｓ１０１８）。
【０１３２】
そして、決済サービス装置４００は、コマースサービス装置３００の決済要請によってマッピングされた決済手段で商品決済を決済処理する（Ｓ１０２０）。
【０１３３】
図１２は、本明細書の一実施例に係るスマートリーダーを用いたスマートコマース方法に関するフローチャートである。
【０１３４】
スマートコマース装置１４１は、価格比較サイトとスマートリーダー１２０をマッピングする（Ｓ１１０２）。ここで、価格比較サイトは、商品の価格をオフラインまたはオンラインのショッピングモールサイトに掲示された優先順位（例えば、人気度、価格、発売日、評点順、購入順等）によって価格比較情報を提供する。価格比較サイトとスマートリーダー１２０は、スマートリーダー１２０を用いた商品購入をする前に予めマッピングされる。これを通して、使用者は、マッピングされた価格比較サイトを通して商品価格の追加割引を受けて購入したり、プロモーション等の付加サービスを通して商品を購入したりすることができる。
【０１３５】
そして、スマートリーダー１２０は、商品に対する商品コードを認識して商品コードを獲得する（Ｓ１１０４）。ここで、スマートリーダー１２０は、商品陳列台１１０または仮想の商品陳列台に表示された仮想商品に対する商品コードを認識することができる。
【０１３６】
そして、スマートリーダー１２０は、獲得された商品コードを商品情報に変換する（Ｓ１１０６）。
【０１３７】
次いで、スマートリーダー１２０は、変換された商品情報をＮＦＣタグに記録する（Ｓ１１０８）。
【０１３８】
一方、ショッピング連係装置１０は、スマートリーダー１２０間のＮＦＣ通信を通して記録された商品情報を獲得する（Ｓ１１１０）。ここで、ショッピング連係装置１０は、使用者端末１９０、リーダーレンタル装置１３０、商品販売端末１７０、スマートチェックアウト装置１５０及びショッピングカート１８０の少なくとも一つを含むことができる。
【０１３９】
コマースサービス装置３００は、ショッピング連係装置１０で獲得された商品情報に対する商品注文内訳をショッピング連係装置１０から獲得する（Ｓ１１１２）。
【０１４０】
そして、コマースサービス装置３００は、価格比較サイトを通して商品注文内訳及び商品コマース情報に該当する価格比較情報を検索する（Ｓ１１１４）。価格比較情報は、該当商品と関連したオンラインまたはオフラインのショッピングモールサイトと連係された商品の価格を比較した情報を意味する。価格比較情報は、該当商品の価格をオンラインショッピング購入サイト別に区分して比較した情報となり得る。ここで、コマースサービス装置３００は、使用者がスマートリーダー１２０を通して商品購入周期によって自動購入するように設定された追加商品情報があるかを確認する。そして、コマースサービス装置３００は、商品購入周期によって商品情報に追加商品情報を加えることができる。このとき、コマースサービス装置３００は、追加商品情報が加えられた商品情報に対する商品注文内訳及び商品コマース情報をマッピングされたコマースサイトを通して検索することができる。
【０１４１】
コマースサービス装置３００が検索された商品注文内訳及び商品コマース情報に該当する価格比較情報をショッピング連係装置１０に伝送すると、ショッピング連係装置１０は、検索された商品注文内訳及び商品コマース情報に該当する価格比較情報を使用者に表示する（Ｓ１１１６）。
【０１４２】
コマースサービス装置３００は、表示された価格比較情報の中で使用者が購入しようとする商品注文内訳に対する商品購入の選択を受ける（Ｓ１１１８）。
【０１４３】
次いで、ショッピング連係装置１０は、使用者により購入選択された商品注文内訳に対する商品決済及び商品配送を要請する（Ｓ１１２０）。
【０１４４】
そして、コマースサービス装置３００は、商品決済を要請する前にスマートリーダー１２０を識別し、その識別されたスマートリーダー１２０とＳ１１０２ステップでマッピングされた価格比較サイトを確認し、使用者により購入選択された商品注文内訳も確認する（Ｓ１１２２）。
【０１４５】
次いで、コマースサービス装置３００は、マッピングされた価格比較サイトを通して商品決済を決済サービス装置４００に要請する（Ｓ１１２４）。ここで、コマースサービス装置３００は、価格比較サイトの価格比較情報とリンクされた他のショッピングモールサイトに商品決済を要請することができる。
【０１４６】
そして、決済サービス装置４００は、コマースサービス装置３００の決済要請によってマッピングされた価格比較サイトを通して商品決済を決済処理する（Ｓ１１２６）。
【０１４７】
図１３は、本明細書の一実施例に係るスマートリーダーを用いたスマートコマース方法に関するフローチャートである。
【０１４８】
スマートコマース装置１４１は、ショッピングモールサイトとスマートリーダー１２０をマッピングする（Ｓ１２０２）。ここで、ショッピングモールサイトは、商品の価格をオフラインまたはオンラインのショッピングモールサイトに掲示された優先順位によって提供する。ショッピングモールサイトとスマートリーダー１２０は、スマートリーダー１２０を用いた商品購入をする前に予めマッピングされる。これを通して、使用者は、マッピングされたショッピングモールサイトを通して商品価格の追加割引を受けて購入したり、プロモーション等の付加サービスを通して商品を購入したりすることができる。
【０１４９】
そして、スマートリーダー１２０は、商品に対する商品コードを認識して商品コードを獲得する（Ｓ１２０４）。ここで、スマートリーダー１２０は、商品陳列台１１０または仮想の商品陳列台に表示された仮想商品に対する商品コードを認識することができる。
【０１５０】
そして、スマートリーダー１２０は、獲得された商品コードを商品情報に変換する（Ｓ１２０６）。
【０１５１】
次いで、スマートリーダー１２０は、変換された商品情報をＮＦＣタグに記録する（Ｓ１２０８）。
【０１５２】
一方、ショッピング連係装置１０は、スマートリーダー１２０間のＮＦＣ通信を通して記録された商品情報を獲得する（Ｓ１２１０）。ここで、ショッピング連係装置１０は、使用者端末１９０、リーダーレンタル装置１３０、商品販売端末１７０、スマートチェックアウト装置１５０及びショッピングカート１８０の少なくとも一つを含むことができる。
【０１５３】
コマースサービス装置３００は、ショッピング連係装置１０で獲得された商品情報に対する商品注文内訳をショッピング連係装置１０から獲得する（Ｓ１２１２）。
【０１５４】
そして、コマースサービス装置３００は、ショッピングモールサイトを通して商品注文内訳及び商品コマース情報に該当する商品付加情報を検索する（Ｓ１２１４）。ここで、商品付加情報は、イベント情報、割引券、無料クーポン、動画像等のプロモーション情報であるか、またはプロモーション情報を格納した媒体に接近できるアクセス情報を意味する。
【０１５５】
コマースサービス装置３００が検索された商品注文内訳及び商品コマース情報に該当する商品付加情報をショッピング連係装置１０に伝送すると、ショッピング連係装置１０は、検索された商品注文内訳及び商品コマース情報に該当する商品付加情報を使用者に表示する（Ｓ１２１６）。
【０１５６】
コマースサービス装置３００は、表示された商品付加情報の中で使用者が購入しようとする商品注文内訳に対する商品購入の選択を受ける（Ｓ１２１８）。
【０１５７】
次いで、ショッピング連係装置１０は、使用者により購入選択された商品注文内訳に対する商品決済及び商品配送を要請する（Ｓ１２２０）。
【０１５８】
そして、コマースサービス装置３００は、商品決済を要請する前にスマートリーダー１２０を識別し、その識別されたスマートリーダー１２０とＳ１１０２ステップでマッピングされたショッピングモールサイトを確認し、使用者により購入選択された商品注文内訳も確認する（Ｓ１２２２）。
【０１５９】
次いで、コマースサービス装置３００は、マッピングされたショッピングモールサイトを通して商品決済を決済サービス装置４００に要請する（Ｓ１２２４）。ここで、コマースサービス装置３００は、ショッピングモールサイトの商品付加情報とリンクされた他のショッピングモールサイトに商品決済を要請することができる。
【０１６０】
そして、決済サービス装置４００は、コマースサービス装置３００の決済要請によってマッピングされたショッピングモールサイトを通して商品決済を決済処理する（Ｓ１２２６）。
【０１６１】
一方、コマースサービス装置３００は、商品情報に対する価格比較情報または商品付加情報が検索されなかった場合、商品情報と関連した関連商品情報を備えられた商品情報ＤＢで検索し、その検索された関連商品情報を利用して価格比較情報または商品付加情報をそれぞれ再検索することができる。例えば、コマースサービス装置３００は、商品情報に含まれた商品名を単語単位で分割して複数の分割商品名を生成し、その生成した複数の分割商品名を利用して価格比較情報または商品付加情報をそれぞれ再検索することができる。
【０１６２】
本明細書の属する技術の分野における通常の知識を有する者は、本明細書がその技術的思想や必須特徴を変更することなく他の具体的な形態で実施され得るということが理解できるだろう。そのため、以上において記述した実施例は、全ての面で例示的なものであり、限定的ではないものと理解すべきである。本明細書の範囲は、前記詳細な説明よりは後述する特許請求の範囲によって表され、特許請求の範囲の意味及び範囲、そして、その均等概念から導き出される全ての変更または変形された形態が本明細書の範囲に含まれるものと解釈されるべきである。
【０１６３】
図１１は、本明細書の一実施例に係るスマートリーダーを用いたスマートコマース方法に関するフローチャートである。
【０１６４】
スマートコマース装置１４１は、決済手段とスマートリーダー１２０をマッピングする（Ｓ１００２）。ここで、決済手段は、クレジットカード、モバイルカード、アプリケーションカード、スマートカード及びプリペイドカードのいずれか一つであってよい。決済手段は、使用者情報を通して識別可能で商品を購入できる決済手段が含まれ得、特定の決済手段に限定されない。Ｓ１００２ステップ以前に、決済サービス装置４００がスマートリーダー１２０を用いた商品購入のための決済手段をクレジットカード、モバイルカード、アプリケーションカード、スマートカード及びプリペイドカードのいずれか一つの決済手段で発給できる。
【０１６５】
そして、スマートリーダー１２０は、商品に対する商品コードを認識して商品コードを獲得する（Ｓ１００４）。ここで、スマートリーダー１２０は、商品陳列台１１０または仮想の商品陳列台に表示された仮想商品に対する商品コードを認識することができる。
【０１６６】
そして、スマートリーダー１２０は、獲得された商品コードを商品情報に変換する（Ｓ１００６）。
【０１６７】
次いで、スマートリーダー１２０は、変換された商品情報をＮＦＣタグに記録する（Ｓ１００８）。
【０１６８】
一方、ショッピング連係装置１０は、スマートリーダー１２０間のＮＦＣ通信を通して記録された商品情報を獲得する（Ｓ１０１０）。ここで、ショッピング連係装置１０は、使用者端末１９０、リーダーレンタル装置１３０、商品販売端末１７０、スマートチェックアウト装置１５０及びショッピングカート１８０の少なくとも一つを含むことができる。
【０１６９】
そして、ショッピング連係装置１０は、獲得された商品情報に対する商品注文内訳を確認する（Ｓ１０１２）。商品注文内訳には、商品に対する商品名、商品価格、商品についての簡略な説明、商品評価等が含まれ得る。
【０１７０】
次いで、ショッピング連係装置１０は、商品決済及び商品配送を要請する（Ｓ１０１４）。
【０１７１】
そして、コマースサービス装置３００は、商品決済を要請する前にスマートリーダー１２０を識別し、その識別されたスマートリーダー１２０とＳ１００２ステップでマッピングされた決済手段を確認する（Ｓ１０１６）。
【０１７２】
次いで、コマースサービス装置３００は、マッピングされた決済手段で商品決済を決済サービス装置４００に要請する（Ｓ１０１８）。
【０１７３】
そして、決済サービス装置４００は、コマースサービス装置３００の決済要請によってマッピングされた決済手段で商品決済を決済処理する（Ｓ１０２０）。
【０１７４】
一方、前記において説明したスマートリーダーを用いてコマース方法について説明する。
【０１７５】
このために、本明細書の実施例においては、コマースサービス装置３００及び決済サービス装置４００をさらに含むことができる。
【０１７６】
コマースサービス装置３００は、ショッピングサービス提供装置（図１の１４０）を通して具現することができ、商品購入のための決済手段とスマートリーダー１２０をマッピングさせることができる。また、コマースサービス装置３００は、商品購入のためのコマースサイト１０１とスマートリーダー１２０をマッピングさせることができる。そして、コマースサービス装置３００は、マッピングされたコマースサイト１０１を通して商品情報に対する商品内訳及び商品コマース情報を検索する。一例として、マッピングされたコマースサイトが価格比較サイトである場合、コマースサービス装置３００は、価格比較サイトで獲得された商品情報に対する商品内訳及び商品コマース情報に該当する各商品に対する価格比較情報を検索することができる。他の例として、コマースサイトがショッピングモールサイトである場合、コマースサービス装置３００は、商品購入サイトで獲得された商品情報に対する商品内訳及び商品コマース情報に該当する各商品に対する商品付加情報を検索することができる。以後、コマースサービス装置３００は、商品情報に対する商品内訳を確認して決済サービス装置４００にマッピングされた決済手段の商品決済を要請する。また、コマース連係装置１０から使用者の商品購入要請があれば、コマースサービス装置３００は、マッピングされたコマースサイト１０１を通して商品決済を要請することができる。
【０１７７】
図１２は、本明細書の一実施例に係るスマートリーダーを用いたスマートコマース方法に関するフローチャートである。
【０１７８】
スマートコマース装置１４１は、価格比較サイトとスマートリーダー１２０をマッピングする（Ｓ１１０２）。ここで、価格比較サイトは、商品の価格をオフラインまたはオンラインのショッピングモールサイトに掲示された優先順位（例えば、人気度、価格、発売日、評点順、購入順等）によって価格比較情報を提供する。価格比較サイトとスマートリーダー１２０は、スマートリーダー１２０を用いた商品購入をする前に予めマッピングされる。これを通して、使用者は、マッピングされた価格比較サイトを通して商品価格の追加割引を受けて購入したり、プロモーション等の付加サービスを通して商品を購入したりすることができる。
【０１７９】
そして、スマートリーダー１２０は、商品に対する商品コードを認識して商品コードを獲得する（Ｓ１１０４）。ここで、スマートリーダー１２０は、商品陳列台１１０または仮想の商品陳列台に表示された仮想商品に対する商品コードを認識することができる。
【０１８０】
そして、スマートリーダー１２０は、獲得された商品コードを商品情報に変換する（Ｓ１１０６）。
【０１８１】
次いで、スマートリーダー１２０は、変換された商品情報をＮＦＣタグに記録する（Ｓ１１０８）。
【０１８２】
一方、ショッピング連係装置１０は、スマートリーダー１２０間のＮＦＣ通信を通して記録された商品情報を獲得する（Ｓ１１１０）。ここで、ショッピング連係装置１０は、使用者端末１９０、リーダーレンタル装置１３０、商品販売端末１７０、スマートチェックアウト装置１５０及びショッピングカート１８０の少なくとも一つを含むことができる。
【０１８３】
コマースサービス装置３００は、ショッピング連係装置１０で獲得された商品情報に対する商品注文内訳をショッピング連係装置１０から獲得する（Ｓ１１１２）。
【０１８４】
そして、コマースサービス装置３００は、価格比較サイトを通して商品注文内訳及び商品コマース情報に該当する価格比較情報を検索する（Ｓ１１１４）。価格比較情報は、該当商品と関連したオンラインまたはオフラインのショッピングモールサイトと連係された商品の価格を比較した情報を意味する。価格比較情報は、該当商品の価格をオンラインショッピング購入サイト別に区分して比較した情報となり得る。ここで、コマースサービス装置３００は、使用者がスマートリーダー１２０を通して商品購入周期によって自動購入するように設定された追加商品情報があるかを確認する。そして、コマースサービス装置３００は、商品購入周期によって商品情報に追加商品情報を加えることができる。このとき、コマースサービス装置３００は、追加商品情報が加えられた商品情報に対する商品注文内訳及び商品コマース情報をマッピングされたコマースサイトを通して検索することができる。
【０１８５】
コマースサービス装置３００が検索された商品注文内訳及び商品コマース情報に該当する価格比較情報をショッピング連係装置１０に伝送すると、ショッピング連係装置１０は、検索された商品注文内訳及び商品コマース情報に該当する価格比較情報を使用者に表示する（Ｓ１１１６）。
【０１８６】
コマースサービス装置３００は、表示された価格比較情報の中で使用者が購入しようとする商品注文内訳に対する商品購入の選択を受ける（Ｓ１１１８）。
【０１８７】
次いで、ショッピング連係装置１０は、使用者により購入選択された商品注文内訳に対する商品決済及び商品配送を要請する（Ｓ１１２０）。
【０１８８】
そして、コマースサービス装置３００は、商品決済を要請する前にスマートリーダー１２０を識別し、その識別されたスマートリーダー１２０とＳ１１０２ステップでマッピングされた価格比較サイトを確認し、使用者により購入選択された商品注文内訳も確認する（Ｓ１１２２）。
【０１８９】
次いで、コマースサービス装置３００は、マッピングされた価格比較サイトを通して商品決済を決済サービス装置４００に要請する（Ｓ１１２４）。ここで、コマースサービス装置３００は、価格比較サイトの価格比較情報とリンクされた他のショッピングモールサイトに商品決済を要請することができる。
【０１９０】
そして、決済サービス装置４００は、コマースサービス装置３００の決済要請によってマッピングされた価格比較サイトを通して商品決済を決済処理する（Ｓ１１２６）。
【０１９１】
図１３は、本明細書の一実施例に係るスマートリーダーを用いたスマートコマース方法に関するフローチャートである。
【０１９２】
スマートコマース装置１４１は、ショッピングモールサイトとスマートリーダー１２０をマッピングする（Ｓ１２０２）。ここで、ショッピングモールサイトは、商品の価格をオフラインまたはオンラインのショッピングモールサイトに掲示された優先順位によって提供する。ショッピングモールサイトとスマートリーダー１２０は、スマートリーダー１２０を用いた商品購入をする前に予めマッピングされる。これを通して、使用者は、マッピングされたショッピングモールサイトを通して商品価格の追加割引を受けて購入したり、プロモーション等の付加サービスを通して商品を購入したりすることができる。
【０１９３】
そして、スマートリーダー１２０は、商品に対する商品コードを認識して商品コードを獲得する（Ｓ１２０４）。ここで、スマートリーダー１２０は、商品陳列台１１０または仮想の商品陳列台に表示された仮想商品に対する商品コードを認識することができる。
【０１９４】
そして、スマートリーダー１２０は、獲得された商品コードを商品情報に変換する（Ｓ１２０６）。
【０１９５】
次いで、スマートリーダー１２０は、変換された商品情報をＮＦＣタグに記録する（Ｓ１２０８）。
【０１９６】
一方、ショッピング連係装置１０は、スマートリーダー１２０間のＮＦＣ通信を通して記録された商品情報を獲得する（Ｓ１２１０）。ここで、ショッピング連係装置１０は、使用者端末１９０、リーダーレンタル装置１３０、商品販売端末１７０、スマートチェックアウト装置１５０及びショッピングカート１８０の少なくとも一つを含むことができる。
【０１９７】
コマースサービス装置３００は、ショッピング連係装置１０で獲得された商品情報に対する商品注文内訳をショッピング連係装置１０から獲得する（Ｓ１２１２）。
【０１９８】
そして、コマースサービス装置３００は、ショッピングモールサイトを通して商品注文内訳及び商品コマース情報に該当する商品付加情報を検索する（Ｓ１２１４）。ここで、商品付加情報は、イベント情報、割引券、無料クーポン、動画像等のプロモーション情報であるか、またはプロモーション情報を格納した媒体に接近できるアクセス情報を意味する。
【０１９９】
コマースサービス装置３００が検索された商品注文内訳及び商品コマース情報に該当する商品付加情報をショッピング連係装置１０に伝送すると、ショッピング連係装置１０は、検索された商品注文内訳及び商品コマース情報に該当する商品付加情報を使用者に表示する（Ｓ１２１６）。
【０２００】
コマースサービス装置３００は、表示された商品付加情報の中で使用者が購入しようとする商品注文内訳に対する商品購入の選択を受ける（Ｓ１２１８）。
【０２０１】
次いで、ショッピング連係装置１０は、使用者により購入選択された商品注文内訳に対する商品決済及び商品配送を要請する（Ｓ１２２０）。
【０２０２】
そして、コマースサービス装置３００は、商品決済を要請する前にスマートリーダー１２０を識別し、その識別されたスマートリーダー１２０とＳ１１０２ステップでマッピングされたショッピングモールサイトを確認し、使用者により購入選択された商品注文内訳も確認する（Ｓ１２２２）。
【０２０３】
次いで、コマースサービス装置３００は、マッピングされたショッピングモールサイトを通して商品決済を決済サービス装置４００に要請する（Ｓ１２２４）。ここで、コマースサービス装置３００は、ショッピングモールサイトの商品付加情報とリンクされた他のショッピングモールサイトに商品決済を要請することができる。
【０２０４】
そして、決済サービス装置４００は、コマースサービス装置３００の決済要請によってマッピングされたショッピングモールサイトを通して商品決済を決済処理する（Ｓ１２２６）。
【０２０５】
一方、本明細書と図面には、本明細書の好ましい実施例について開示しており、特定の用語が用いられたが、それは、単に本明細書の技術内容を容易に説明し、発明の理解を助けるための一般的な意味で用いられたものであり、本明細書の範囲を限定しようとするものではない。ここに開示された実施例の他にも本明細書の技術的思想に基づいた他の変形例が実施可能であるということは、本明細書の属する技術の分野における通常の知識を有する者にとって自明なものである。
【産業上の利用可能性】
【０２０６】
本発明は、総合スーパーやデパート等、ＮＦＣ通信を通してセルフショッピングを可能とするショッピングサービス関連の技術分野に適用可能である。
【図１】
2017527934.tif 000003
【図２】
2017527934.tif 000004
【図３】
2017527934.tif 000005
【図４】
2017527934.tif 000006
【図５】
2017527934.tif 000007
【図６】
2017527934.tif 000008
【図７】
2017527934.tif 000009
【図８】
2017527934.tif 000010
【図９】
2017527934.tif 000011
【図１０】
2017527934.tif 000012
【図１１】
2017527934.tif 000013
【図１２】
2017527934.tif 000014
【図１３】
2017527934.tif 000015
【国際調査報告】
2017527934.tif 000016
2017527934.tif 000017
2017527934.tif 000018
2017527934.tif 000019